(57)【要約】【課題】  光素子の電極端子部と外部回路との接続が良好に行える光導波路及びその製造方法、並びに光結合装置及びその製造方法を提供すること。【解決手段】  光素子１３の発光部１３ａの領域でかつ複数のコア３の間において、光導波路１のクラッド２、４を部分的に欠除して凹部５を設け、この凹部に対応する位置で、プラットフォーム９の上部に凸部１０を設けて、凹部５と凸部１０との凹凸嵌合により光コネクタ１５を構成し、光素子１３の電極端子１４を上記凹部を介して、ワイヤボンディングにより外部接続端子に接続する。【選択図】          図１
2005331535.tif 000002
【特許請求の範囲】
【請求項１】
コアとクラッドとが接合されてなり、光素子の発光又は受光部に対向配置される光導波路において、
前記光素子の少なくとも電極端子部の領域で前記クラッドが欠除されている
ことを特徴とする、光導波路。
【請求項２】
複数の前記光素子に対応して複数の前記コアがそれぞれ配置され、これらのコア間の前記クラッドが欠除されている、請求項１に記載した光導波路。
【請求項３】
前記光素子の発光又は受光部に対向して少なくとも前記コアに光反射性の傾斜面が形成されている、請求項１に記載した光導波路。
【請求項４】
支持体と；この支持体上に固定された光素子と；コアとクラッドとが接合されてなり、前記光素子の発光又は受光部に対向配置された光導波路と；を有する光結合装置において、
前記光素子の少なくとも電極端子部の領域で前記クラッドが欠除されており、
この欠除部を介して、前記光素子の前記電極端子部が外部に取り出されている
ことを特徴とする、光結合装置。
【請求項５】
前記クラッドの前記欠除部を介して前記電極端子部がワイヤボンドによって外部に接続されている、請求項４に記載した光結合装置。
【請求項６】
前記クラッドの前記欠除部が、前記支持体に設けられた凸部に凹凸嵌合されている、請求項４に記載した光結合装置。
【請求項７】
前記凹凸嵌合によって前記光導波路が前記光素子に対し調芯されている、請求項６に記載した光結合装置。
【請求項８】
複数の前記光素子に対応して複数の前記コアがそれぞれ配置され、これらのコア間の前記クラッドが欠除されている、請求項４に記載した光結合装置。
【請求項９】
前記光素子の発光又は受光部に対向して少なくとも前記コアに光反射性の傾斜面が形成されている、請求項４に記載した光結合装置。
【請求項１０】
コアとクラッドとが接合されてなり、光素子の発光又は受光部に対向配置される光導波路を製造する方法において、
クラッド材のパターニングによって、前記光素子の少なくとも電極端子部の領域の前  記クラッドに欠除部を形成する工程
を有することを特徴とする、光導波路の製造方法。
【請求項１１】
基体上に前記クラッドと前記コアとの積層体を形成する工程と、前記クラッドに前記欠除部を形成する工程とを有する、請求項１０に記載した光導波路の製造方法。
【請求項１２】
前記クラッドの前記欠除部を前記コアの側方に並置して形成した後、この並置方向において前記欠除部を含む位置で切断して、少なくとも前記コアに光反射性の傾斜面を形成し、前記切断後に前記積層体を前記基体から分離する、請求項１１に記載した光導波路の製造方法。
【請求項１３】
複数の前記光素子に対応して配置される複数の前記コア間の前記クラッドを欠除する、請求項１０に記載した光導波路の製造方法。
【請求項１４】
支持体と；この支持体上に固定された光素子と；コアとクラッドとが接合されてなり、前記光素子の発光又は受光部に対向配置された光導波路と；を有する光結合装置の製造方法において、
クラッド材のパターニングによって、前記光素子の少なくとも電極端子部の領域の前  記クラッドに欠除部を有する光導波路を製造する工程と、
前記光導波路を前記支持体に取り付ける工程と、
前記欠除部を介して、前記光素子の前記電極端子部を外部に取り出す工程と
を有することを特徴とする、光結合装置の製造方法。
【請求項１５】
基体上に前記クラッドと前記コアとの積層体を形成する工程と、前記クラッドに前記欠除部を形成する工程とを有する、請求項１４に記載した光結合装置の製造方法。
【請求項１６】
前記クラッドの前記欠除部を前記コアの側方に並置して形成した後、この並置方向において前記欠除部を含む位置で切断して、少なくとも前記コアに光反射性の傾斜面を形成し、前記切断後に前記積層体を前記基体から分離する、請求項１５に記載した光結合装置の製造方法。
【請求項１７】
複数の前記光素子に対応して配置される複数の前記コア間の前記クラッドを欠除する、請求項１４に記載した光結合装置の製造方法。
【請求項１８】
前記光素子の発光又は受光部に対向して少なくとも前記コアに前記傾斜面を形成する、請求項１６に記載した光結合装置の製造方法。
【請求項１９】
前記クラッドの前記欠除部を、前記支持体に設けられた凸部に凹凸嵌合させる、請求項１４に記載した光結合装置の製造方法。
【請求項２０】
前記凹凸嵌合によって前記光導波路を前記光素子に対し調芯する、請求項１９に記載した光結合装置の製造方法。
【請求項２１】
前記クラッドの前記欠除部を介して前記電極端子部をワイヤボンドによって外部に接続する、請求項１４に記載した光結合装置の製造方法。
【発明の詳細な説明】
【技術分野】
【０００１】
本発明は、例えば光情報通信装置などに好適な光導波路及びその製造方法、並びに光結合装置及びその製造方法に関するものである。
【背景技術】
【０００２】
従来、電子機器内のボード間又はボード内のチップ間など、比較的短距離間の情報伝達は、主に電気信号により行われてきたが、集積回路の性能を更に向上させるためには、信号の高速化や信号配線の高密度化が必要となる。しかし、電気信号配線においては、配線の時定数による信号遅延や、ノイズ発生などの問題から、電気信号の高速化や電気信号配線の高密度化が困難である。
【０００３】
こうした問題を解決する光配線（光インターコネクション）が注目されている。光配線は、電子機器間、電子機器内のボード間又はボード内のチップ間など、種々の箇所に適用可能であり、例えばチップ間のような短距離間の信号の伝送には、チップが搭載されている基板上に光導波路を形成し、信号変調されたレーザ光等の伝送路とした光伝送・通信システムを構築することができる。
【０００４】
光導波路に光信号を発する光源となる例えばＬＥＤと、これを駆動させる外部回路の端子との接続はワイヤボンドが一般的であるが、ＬＥＤの発光部と光導波路の受光部との間隙が小さい。しかも発光部と受光部は４５°傾斜面をなす光導波路端側に位置し、ＬＥＤの電極端子もその近傍に位置しているため、この電極端子と外部端子とを接続するボンディングワイヤを通すための十分なスペースがなく、このためにクロストーク等種々の支障が生じ易く、光導波路構造や実装方法等において改善を要する問題が多い。
【０００５】
従来、このような４５°傾斜の反射面を有する光導波路の実装構造の一例として、フィルム光配線と光デバイス間の空隙に接着剤を充填し、光デバイスの活性部を埃や湿気から保護することが開示されている（後述の特許文献１参照）。
【０００６】
上記した従来例は、４５°ミラーは積層された光導波路を一方向にダイシングカットしたものであり、しかも光導波路と発光部との間が樹脂で塞がれているためワイヤボンドすることはできない。従って、この光デバイスに例えばワイヤボンドする場合には、ワイヤを通す空間が必要になり、光導波路と光デバイスの距離を必然的に離す必要がある。
【０００７】
即ち、例えば図１０（ａ）（同図（ｂ）のａ−ａ線断面図）に示すように、光導波路１と発光部３５との間を空隙構造にしても、例えばＰＤ（フォトダイオード）アレイ３４上に配した発光部３５のＰ電極３９及びＮ電極３８と駆動回路の電極３６及び３７とをワイヤボンド１７するためには、基板３１上に高い支持台３２を配し、接着剤３３を介して光導波路１を固定することが必要である。従って、発光部３５と光導波路１の受光部６との間が離れすぎることになる。
【０００８】
また、ワイヤボンドする構造の例としては、例えば図１１（ａ）（同図（ｂ）のａ−ａ線断面図）に示すように、発光部３５の各電極を受光部６の領域外に引き出して発光部３５と受光部６との間隙を狭くする構造が知られている。
【０００９】
即ち、図１１に示すように、基板３１上に配した発光部３５のＰ電極３９及びＮ電極３８を、受光部６の領域外に引き出してそれぞれの端子３９ａ、３８ａを設け、例えばＬＤＤ（レーザダイオードドライバ）の電極３７、３６にワイヤボンド１７で接続することにより、基板３１上に低い支持台３２を配して光導波路１を接着剤３３を介して固定できるため、発光部３５と受光部６との間を狭くすることが可能になる。
【００１０】
【特許文献１】特許第３２５７７７６号（第２頁、第４欄第９〜１３行目及び図１）
【発明の開示】
【発明が解決しようとする課題】
【００１１】
しかしながら、図１０に示した方法でワイヤボンドする場合、発光部３５と受光部６との間隙が大きすぎるため、受光部６への入射光の光量が少なくなり、十分な光量を導波できないと共に、受光部６以外の下部クラッド４に当った光が屈折率の大きいコア３へ入り込む割合が増えるため、光結合効率を悪化させると共に、多チャンネルに集積している場合には、隣のチャンネルへ光が入射してクロストーク特性も悪化させる。更に、この構造では脱着機構がないため、光コネクタとしては機能しない。
【００１２】
また、図１１に示した構造の場合は、端子３８ａ、３９ａが発光部３５から離れすぎる（例えば２００μｍ）ため、高周波ノイズの影響を受け易い。従って、望ましい５０μｍ位の距離に近づければ光導波路１に接触してしまう。
【００１３】
そこで、本発明の目的は、光素子の電極端子部の外部回路との接続が良好に行える光導波路及びその製造方法、並びに光結合装置及びその製造方法を提供することにある。
【課題を解決するための手段】
【００１４】
即ち、本発明は、コアとクラッドとが接合されてなり、光素子の発光又は受光部に対向配置される光導波路において、
前記光素子の少なくとも電極端子部の領域で前記クラッドが欠除されている
ことを特徴とする、光導波路（以下、本発明の光導波路と称する。）に係るものである。
【００１５】
また、本発明は、コアとクラッドとが接合されてなり、光素子の発光又は受光部に対向配置される光導波路を製造する方法において、
クラッド材のパターニングによって、前記光素子の少なくとも電極端子部の領域の前  記クラッドに欠除部を形成する工程
を有することを特徴とする、光導波路の製造方法（以下、本発明の光導波路の製造方法と称する。）に係るものである。
【００１６】
また、本発明は、支持体と；この支持体上に固定された光素子と；コアとクラッドとが接合されてなり、前記光素子の発光又は受光部に対向配置された光導波路と；を有する光結合装置において、
前記光素子の少なくとも電極端子部の領域で前記クラッドが欠除されており、
この欠除部を介して、前記光素子の前記電極端子部が外部に取り出されている
ことを特徴とする、光結合装置（以下、本発明の光結合装置と称する。）に係るものである。
【００１７】
また、本発明は、支持体と；この支持体上に固定された光素子と；コアとクラッドとが接合されてなり、前記光素子の発光又は受光部に対向配置された光導波路とを有する光結合装置の製造方法において、
クラッド材のパターニングによって、前記光素子の少なくとも電極端子部の領域のク  ラッドに欠除部を有する光導波路を製造する工程と、
前記光導波路を前記支持体に取り付ける工程と、
前記欠除部を介して、前記光素子の前記電極端子部を外部に取り出す工程と
を有することを特徴とする、光結合装置の製造方法（以下、本発明の光結合装置の製造方法と称する。）に係るものである。
【発明の効果】
【００１８】
本発明によれば、前記光素子の少なくとも電極端子部の領域で前記光導波路の前記クラッドが欠除されているので、前記電極端子部を延設しなくても前記欠除部を介して、前記電極端子部を良好かつ確実にワイヤボンディング等により外部に取り出すことができ、また前記欠除部により前記コアの側方で隣接する前記光素子からの光が前記クラッドに入射する割合が減少するために、クロストークを減少させることができる。
【発明を実施するための最良の形態】
【００１９】
上記した本発明の光導波路とその製造方法、光結合装置とその製造方法においては、複数の前記光素子に対応して複数の前記コアがそれぞれ配置され、これらのコア間のクラッドが欠除されていることが望ましい。
【００２０】
そして、前記光素子の発光又は受光部に対向して少なくとも前記コアに光反射性の傾斜面を形成することが望ましい。
【００２１】
また、前記クラッドの前記欠除部を介して前記電極端子部をワイヤボンドによって外部に接続することにより、クロストークを防止すると共に配線の自由度がある点で望ましい。
【００２２】
また、前記クラッドの前記欠除部を、前記支持体に設けられた凸部に凹凸嵌合することによって、前記光導波路を前記光素子に対し調芯できる点で望ましい。
【００２３】
そして、この作製に当っては基体上に前記クラッドと前記コアとの積層体を形成した後に、前記クラッドの前記欠除部を形成することが望ましい。
【００２４】
この場合、前記クラッドの前記欠除部を前記コアの側方に並置して形成した後、この並置方向において前記欠除部を含む位置で切断して、少なくとも前記コアに光反射性の傾斜面を形成し、前記切断後に前記積層体を前記基体から分離することが、製作を効率良く行える点で望ましい。
【００２５】
次に、本発明を実施するための最良の形態を図面参照下で具体的に説明する。
【００２６】
図１は、本実施の形態による光コネクタ１５を示し、（ａ）は（ｃ）のａ−ａ線断面図、（ｂ）は（ｃ）のｂ−ｂ線断面図、（ｃ）は概略平面図である。
【００２７】
図示の如く、この光コネクタ１５は光ファイバ８を配置した光ファイバアレイ７に一体に結合された光導波路１が、プラットフォーム９と凹凸嵌合によって組み合わされた構造になっている。即ち、図１（ｃ）に示すように、光導波路１の上下のクラッド２、４が光素子１３の発光部１３ａの領域で欠除部（以下、凹部と称することがある。）５を形成されており、この凹部５に対応する位置でプラットフォーム９に凸部１０が設けられ、この凹部５と凸部１０とが凹凸嵌合する構造になっている。従って、必要に応じて結合前の状態に分離することもできる。
【００２８】
そして、ＰＤ（フォトダイオード）又はＶＣＳＥＬ（垂直共振器型面発光レーザ）アレイ１１に配置された複数の発光部１３ａに対応して、光導波路１のコア３がそれぞれ配置され、このコア３、３の間のクラッド２、４が部分的に欠除されて凹部５が形成されているため、光素子１３の電極端子１４の上方が凹部５からなる空間であるので、隣接する光素子１３からクラッド層を介して入射する入射光によるクロストークが減少すると共に、光導波路１に接触することなく、ワイヤボンド１７によって、例えばキャピラリーを用いて光素子の電極端子１４側はボールボンドで接続し、外部端子側はウェッジボンドによって結合し、光素子１３の電極端子１４をこの光素子１３を駆動させる外部電極１８に良好かつ確実に接続することができ、上記した凹凸嵌合による光導波路１とプラットフォーム９との結合構造が、本実施の形態の特筆すべき特長である。
【００２９】
図２及び図３に示す斜視図により、上記した凹凸嵌合を更に詳細に説明する。即ち、まず図２に示すように、光ファイバアレイ７と一体化して結合された光導波路１は、先端の４５°傾斜面からコア３に平行してクラッド２、４に凹部５が設けられ、一方、プラットフォーム９の上部が上記凹部５に対応する位置で凸部１０を形成されている。
【００３０】
従って、光導波路１を矢印方向に押し込むことにより、図３に示すように、光導波路１の凹部５にプラットフォーム９の凸部１０が嵌入し、両者が結合されると同時に、光導波路１の不図示の受光部６が発光部１３ａに対して自動的に位置合せされて調芯されるため、位置合せ用のマーカーが不要である。
【００３１】
次に、図４及び図５により、この光導波路１の製造プロセスを説明する。各図において、（ａ）は（ｂ）のａ−ａ線の概略断面図、（ｂ）はその一部分の平面図を示す。
【００３２】
まず、図４Ａに示すように、基板１９上に屈折率の異なる層、即ち、屈折率の小さい下部クラッド４と上部クラッドとの間に屈折率の大きいコア３を挟んで積層して、光導波路１を作製する。
【００３３】
この場合、光導波路材料としては、下記のオキセタン環を有するオキセタン化合物からなるオキセタン樹脂、または下記のオキシラン環を有するオキシラン化合物からなるポリシランが使用可能であるが、これらの光硬化（重合）のための連鎖反応による重合を開始させ得るカチオン重合開始材を含む組成物を用いられるのがよい。
【化１】
2005331535.tif 000003
【００３４】
次に、図４Ｂに示すように、ＰＲ（フォトレジスト）プロセスにより遮光部２０ａを設けたマスク２０を光導波路１上に配し、ドライエッチングプロセス又はウェットエッチングにより図４Ｃに示すように、クラッド層２、４の一部を除去し欠除部５を形成する。
【００３５】
なお、欠除部５を全てＰＲプロセスによって形成してもよい。即ち、下部クラッド４を半硬化した後にコア３を形成し、上部クラッド２も半硬化状態に設け、その後にクラッド上に欠除部５を形成する部分のみに遮光マスクをかけて硬化し、このマスクを除去して現像処理することにより、マスク下の未硬化部分が除去されて欠除部５が形成される。
【００３６】
次に図４Ｄに示すように、刃先が９０°のダイサー２２を用いてコア３と欠除部５との並置方向（横方向）に切断加工することにより、光導波路１のコア３の端部に４５°傾斜のミラーを形成する。
【００３７】
次に、図５Ｅに示すように、基板１９から光導波路１を剥離することにより、上下のクラッド層２、４の一部が除去され、コア３に４５°傾斜の反射面３ａのミラーを有する光導波路１が同時に２個完成する。
【００３８】
図５Ｆは、上記により作製された光導波路１の一方（上記各図における右側半分）を示し、ダイサー加工により形成された傾斜面にコア３の反射面３ａが形成されている。
【００３９】
一方、図６（（ａ）は（ｂ）のａ−ａ線の概略断面図、（ｂ）は（ａ）の平面図）に示すように、受発光デバイスが実装されるプラットフォーム９には、光導波路１に設けた欠除部５との接触により受発光デバイスと光導波路１のコア３との位置決めができるように、凸部１０を予め形成する。
【００４０】
上記のように形成した光導波路１を光ファイバアレイに結合（図１参照）させた後に、既述した図１〜図３のように、受発光デバイスをプラットフォーム９に実装する際に、プラットフォーム９に設けた凸部１０と、光導波路１に設けた凹部５とを凹凸嵌合によりはめ込むことによって光コネクタ１５が形成され、自動的に受発光デバイスと位置調芯されて光結合される。
【００４１】
本実施の形態によれば、光導波路１のコア３、３間のクラッド２、４を光素子１３の領域で部分的に欠除して凹部５を形成し、一方、この凹部５に対応する位置でプラットフォーム９に凸部１０を形成し、凹部５と凸部１０との凹凸嵌合により光コネクタ１５を構成するので、電極端子を延設しなくても、凹部５を介してワイヤボンドを確実に行うことができ、また、この凹凸嵌合によって自動的に発光部１３と光導波路１の位置調芯を同時に行うことができるため、高効率な光結合を実現できる。従って、実装のためのマーカーを形成する必要もなく、凹部５に入射した発光部１３ａの光は凹部５を通って抜け出るため、隣接の受光部６に入射する割合が減少するので、クロストークを減少させることができる。更に、受発光デバイスのアレイ数が変化した場合でも、同様な構造により容易に対応することができる。
【００４２】
次に、図７により本実施の形態の変形例を示す。上記した実施の形態は、凹部５を形成した側の光導波路１の端部に１列に傾斜面を形成したが、例えば図７（ａ）及び同図（ｂ）（（ａ）のｂ−ｂ線断面図）に示すように、１つおきに突出した光導波路端１ａ、１ｂを２列に配列した構造に形成することも可能である。
【００４３】
光素子１３の電極端子１４の上方に形成した凹部５の幅は非常に狭いが、例えばキャピラリー等を用いてワイヤボンドする場合、隣接した光素子１３の電極端子１４にボールボンドし、更にワイヤを引き出す際、図７（ａ）のように隣接する電極端子１４同士が離れているので、隣接端子に接触しないようにワイヤボンドを確実に行うことができる。
【００４４】
しかしこの場合、図４に示したようにダイサー加工ができないため、光導波路１の端部全体に傾斜面を形成することができないので、端部が図７（ｂ）に示す形状にならざるを得ない。
【００４５】
この構造の光導波路は、例えば図８のようにして形成することができる。即ち、図８（ａ）に示すように、基板１９上に下部クラッド４を塗布によって形成後に、凹部５を形成するための遮光マスク２４をかける。同図（ｂ）はこの平面図であり、マスク２４は図７に示したように、光導波路端１ａ、１ｂが交互に２列配置になるようなパターンに形成する。そしてこれを露光現像することにより、マスク２４下のクラッド４のみが除去され、端部には傾斜面がなく垂直な形状が形成される。
【００４６】
次に、同図（ｃ）に示すように、コアを形成するパターンの上型２５を被せ、コア形成領域の空間２６内にコア材料を注入し、上型２５を離脱して硬化することにより、先端に反射面となる傾斜面が形成される。
【００４７】
最後に、同図（ｄ）に示すように、上部クラッド形成用の上型２７を被せ、空間２６内にクラッド材料を注入し、上型２７を離脱して硬化することにより、図７のような２列構造の光導波路を形成することができる。この場合、上部クラッド２は設けないタイプ（エアリッチ型）にしてもよい。なお、図８の各図は、同図（ｂ）のａ−ａ線断面図で示したため、図７における突出していない側の光導波路端部１ａの形状になっているが、この光導波路端部１ａと、これよりも突出した光導波路端部１ｂが交互に配置される。
【００４８】
また、図９は他の変形例を示す概略図であって、図示省略したプラットフォームに設けた凸部１０'と光導波路１に設けた凹部５との嵌め合いを容易にする方法を説明するための図であり、同図（ａ）は結合前、（ｂ）は結合後を示す。
【００４９】
この場合、光導波路１に形成する凹部５は上記した図１と同様であるが、プラットフォームに設ける凸部１０'は図１よりも小型に形成し、例えば図９（ｂ）に示すように、凸部１０'を凹部５のいずれかの角（この図では奥の右角）に係合させることにより、自動的に調芯できるようにすることも可能である。この場合、図９（ａ）に示すように、結合前の凹部５の位置を結合後の正常な位置に対し、ｗだけずらしておく、そして同図（ａ）に示す矢印２８方向に押し込んだ後に、仮想線矢印方向に動かす。即ち、同図（ｂ）に示す矢印２９の方向に光導波路１を動かして角に凸部１０'を位置させることにより、光導波路１とプラットフォーム９との位置合せと結合が容易になるメリットがある。
【００５０】
また、図示省略するが、例えばプラットフォーム側に設ける凸部１０を図１と同様に形成し、光導波路１側の凹部５をその入り口側で幅広に形成し、奥の方で嵌合する形状にすることによっても、上述した図１の例の効果に加えて、結合し易いメリットがある。
【００５１】
なお、上記した実施の形態は、本発明の技術的思想に基づいて更に変形することができる。
【００５２】
例えば、プラットフォーム９に設けた凸部１０に対応するように光導波路１の凹部５の奥は２つの角を有する角型に形成したが、これに限らず、例えば凸部１０の形状及び係合部は２つの角以上の多角形でもよく、丸型又は楕円形であってもよい。
【００５３】
また、光導波路１に形成した凹部５−５間の傾斜面付きのコア部を、プラットフォーム９の上部に形成した貫通孔に嵌入するようにしてもよい。即ち、プラットフォーム９の上部に上記凸部１０と同様な厚さの壁を形成し、この壁に貫通孔を設け、この貫通孔にコアを挿入するようにしてもよい。
【００５４】
また、ワイヤボンドでない接続方法にも上記した実施の形態を適用できる。即ち、例えば、上記した外部端子を一端側に有する配線を基板上で光素子側まで延設し、これに光素子から引き出された電極を接続することができる。この場合も、上記した実施の形態と同様に、上記した欠除部を介して光導波路と光素子との位置合せを容易かつ正確に行うことができ、かつクロストークを減少させることができる。
【００５５】
また、凹部５の形成方法やその他の各部の形状等も、実施の形態以外の方法や形状を適宜に採用することができる。
【図面の簡単な説明】
【００５６】
【図１】本発明の実施の形態による光コネクタを示し、（ａ）は（ｃ）のａ−ａ線概略断面図、（ｂ）は（ｃ）のｂ−ｂ線概略断面図、（ｃ）は（ａ）及び（ｂ）の一部分の平面図である。
【図２】同、光コネクタの結合前の状態を示す斜視図である。
【図３】同、光コネクタの結合後の状態を示す斜視図である。
【図４】同、光導波路の製造プロセスを示し、（ａ）は概略断面図、（ｂ）はその一部分の平面図である。
【図５】同、光導波路の製造プロセスを示し、（ａ）は概略断面図、（ｂ）はその一部分の平面図である。
【図６】同、プラットフォームを示し、（ａ）は（ｂ）のａ−ａ線概略断面図、（ｂ）は（ａ）の平面図である。
【図７】変形例を示し、（ａ）は概略平面図、（ｂ）は（ａ）のｂ−ｂ線断面図である。
【図８】同変形例の製造方法を示す概略図である。
【図９】他の変形例を示し、（ａ）は結合前の状態、（ｂ）は結合後の状態である。
【図１０】従来例の一例を示し、（ａ）は概略断面図、（ｂ）はその一部分の平面図である。
【図１１】従来例の他の一例を示し、（ａ）は概略断面図、（ｂ）はその一部分の平面図である。
【符号の説明】
【００５７】
１…光導波路、１ａ、１ｂ…光導波路端部、２…上部クラッド、３…コア、
３ａ…反射面、４…下部クラッド、５…凹部（欠除部）、６…受光部、
７…光ファイバアレイ、８…光ファイバ、９…プラットフォーム、１０、１０'…凸部、
１１…ＰＤアレイ、１３…光素子、１３ａ…発光部、１４、１８…電極、
１５…光コネクタ、１７…ワイヤボンド、１９…基板、２０、２４…マスク、
ダイサー、２５、２７…上型、２６…空間、２８、２９…矢印、ｗ…幅
【図１】
2005331535.tif 000004
【図２】
2005331535.tif 000005
【図３】
2005331535.tif 000006
【図４】
2005331535.tif 000007
【図５】
2005331535.tif 000008
【図６】
2005331535.tif 000009
【図７】
2005331535.tif 000010
【図８】
2005331535.tif 000011
【図９】
2005331535.tif 000012
【図１０】
2005331535.tif 000013
【図１１】
2005331535.tif 000014